(57)【要約】【課題】トリミングサイズが所定のプリントサイズによるプリントに適したサイズであるか否かをユーザに知らせることができる撮像装置を提供する。【解決手段】処理部１１０は、推奨サイズ設定画面の設定内容を参照し、原画像の画素数が設定されたプリントサイズに対応する画素数と一致し、かつトリミングサイズが設定されたプリントサイズに対応する推奨サイズと一致するという条件を満たしているか（即ちトリミングサイズが推奨サイズであるか）否かを判断する。トリミングサイズが推奨サイズでない場合は、内枠Ｆ２及びその内部の色を、通常色から警告色（赤色やオレンジ色など通常色よりも目立つ色）に変化させる。【選択図】  図７
2006033369.tif 000002
【特許請求の範囲】
【請求項１】
光学像を電気信号に変換する撮像部と、前記撮像部を介して撮像した原画像を記録媒体に記録する記録部と、画像表示部とを備えた撮像装置において、
前記画像表示部に表示された原画像の一部領域をトリミング画像として指定するトリミング指定部と、
前記原画像に対する前記トリミング画像のサイズ及び位置を示すトリミング画像情報を前記画像表示部に表示する表示制御部と、
前記トリミング画像のサイズであるトリミングサイズが所定のプリントサイズによるプリントに適した推奨サイズであるか否かを判断するサイズ判断部と、
を備え、前記表示制御部は前記判断結果に応じて前記トリミング画像情報の色を通常色から警告色に変化させる撮像装置。
【請求項２】
プリントサイズ及び該プリントサイズに対応する原画像の画素数並びに推奨サイズの設定を受け付ける設定部をさらに備え、
前記サイズ判断部は、前記原画像の画素数が前記設定されたプリントサイズに対応する画素数と一致し、かつ前記トリミングサイズが前記設定されたプリントサイズに対応する推奨サイズと一致する場合、前記トリミングサイズが前記設定されたプリントサイズによるプリントに適した推奨サイズであると判断する請求項１に記載の撮像装置。
【発明の詳細な説明】
【技術分野】
【０００１】
本発明は撮像装置に係り、特に撮影画像のトリミングを行える撮像装置に関する。
【背景技術】
【０００２】
従来、撮影者にカメラの設定状態を知らせる技術が考案されている。例えば特許文献１によると、顧客が操作可能に設置された端末に情報記憶媒体がセットされると、画像データを読み出してディスプレイに表示し、表示画像に対するトリミングの実行を顧客が所望している場合には、表示画像を写真プリントとして出力する際のサイズに基づいてトリミング範囲の最小サイズを求め、最小サイズのトリミング範囲を表す枠を表示画像に重ねて表示させる。枠（トリミング範囲）のサイズ又は表示位置の変更が顧客から指示されると、指示に応じて枠のサイズ又は表示位置を変更し、トリミング範囲が確定すると、確定したトリミング範囲を表すトリミング情報を生成し、情報記憶媒体に記録する。このトリミング情報に基づいて実際のトリミング処理が行われ、写真プリントが作成される。
【特許文献１】特開２００４−４０６３４号公報
【発明の開示】
【発明が解決しようとする課題】
【０００３】
ところで、トリミング機能付きのデジタルカメラでは、撮影画像の再生中に画像のトリミングが実行できるが、トリミングした画像が所定のプリントサイズによるプリントに適したサイズであるか否かをトリミング時に知ることができない。本発明はこのような問題点に鑑みてなされたもので、トリミングサイズが所定のプリントサイズによるプリントに適したサイズであるか否かをユーザに知らせることができる撮像装置を提供することを目的とする。
【課題を解決するための手段】
【０００４】
上記課題を解決するため、請求項１に係る発明は、光学像を電気信号に変換する撮像部と、前記撮像部を介して撮像した原画像を記録媒体に記録する記録部と、画像表示部とを備えた撮像装置において、前記画像表示部に表示された原画像の一部領域をトリミング画像として指定するトリミング指定部と、前記原画像に対する前記トリミング画像のサイズ及び位置を示すトリミング画像情報を前記画像表示部に表示する表示制御部と、前記トリミング画像のサイズであるトリミングサイズが所定のプリントサイズによるプリントに適した推奨サイズであるか否かを判断するサイズ判断部と、を備え、前記表示制御部は前記判断結果に応じて前記トリミング画像情報の色を通常色から警告色に変化させる撮像装置を提供する。
【０００５】
この発明によると、トリミングサイズが所定のプリントサイズによるプリントに適した推奨サイズでない場合、原画像に対するトリミング画像のサイズ及び位置を示すトリミング画像情報の色が通常色から警告色に変化するため、トリミング画像のサイズが所定のプリントサイズによるプリントに適したサイズであるか否かをユーザに知らせることができる。
【０００６】
請求項２に係る発明は、プリントサイズ及び該プリントサイズに対応する原画像の画素数並びに推奨サイズの設定を受け付ける設定部をさらに備え、前記サイズ判断部は、前記原画像の画素数が前記設定されたプリントサイズに対応する画素数と一致し、かつ前記トリミングサイズが前記設定されたプリントサイズに対応する推奨サイズと一致する場合、前記トリミングサイズが前記設定されたプリントサイズによるプリントに適した推奨サイズであると判断する請求項１に記載の撮像装置を提供する。
【０００７】
プリントサイズ及び該プリントサイズに対応する原画像の画素数並びに推奨サイズの設定はユーザが自由に行うことができる。
【発明の効果】
【０００８】
この発明によると、トリミングサイズが所定のプリントサイズによるプリントに適した推奨サイズでない場合、原画像に対するトリミング画像のサイズ及び位置を示すトリミング画像情報の色が通常色から警告色に変化するため、トリミング画像のサイズが所定のプリントサイズによるプリントに適したサイズであるか否かをユーザに知らせることができる。
【発明を実施するための最良の形態】
【０００９】
以下、添付した図面を参照し本発明の好ましい実施の形態を説明する。
【００１０】
［概略構成］
図１〜３は、本発明の好ましい実施形態に係るカメラ１０の外観斜視図である。このカメラ１０は、ズームレンズ１２を備えたデジタルカメラであり、カメラ本体から前方へ突出したレンズ部１４と本体側部のグリップ部２２を撮影者が確実に保持して、撮影ブレを防止できる大きさと形状を有している。ズームレンズ１２には、例えば光学６倍ズームレンズが用いられ、望遠（テレ）側又は広角（ワイド）側のズーム操作に応じて鏡胴１５が進退駆動される。
【００１１】
カメラ上部にはポップアップ式のストロボ１６が設けられ、ストロボ発光部の横にはストロボ調光センサ１８が設けられている。符号４０は、ストロボ１６を利用可能状態の位置にポップアップさせるストロボポップアップボタンである。グリップ部２２上面にはシャッターボタン８０が配置され、セルフタイマーランプ２０はグリップ部２２の前面に設けられている。
【００１２】
レンズ１４にはフォーカス・ズームリング（以下ＦＺリングという）２４が設けられており、マニュアルフォーカスモード（ＭＦ）時に撮影者がＦＺリング２４を手で回動操作すると、手動によるピント調整を行うことができる。あるいは、コンティニュアスオートフォーカス（Ｃ−ＡＦ）モード若しくはシングルオートフォーカス（Ｓ−ＡＦ）モード時に撮影者がＦＺリング２４を手で回動操作すると、手動による光学ズーム調整を行うことができる。ＭＦ／Ｃ−ＡＦ／Ｓ−ＡＦモードの切り換えは、モード切換スイッチ３０で行う。
【００１３】
カメラ１０の側面には、Ｃ−ＡＦモード、Ｓ−ＡＦモード又はＭＦモードを選択するモード切換スイッチ３０、ズームキー３２、情報ボタン３４、露出補正ボタン３６、及びホワイトバランス調整ボタン３８等が配設されている。これら各操作部は、撮影者がカメラ１０のレンズ部１４を保持した左手の親指で操作できる位置に設けられている。
【００１４】
ズームキー３２は、ズームレンズ１２の焦点距離の調節と電子ズーム機能による拡大／縮小の指示に兼用される操作部である。ズームキー３２は、カメラ１０の前後方向に傾動するシーソー型スイッチ構造を有し、傾動方向に応じてズームレンズ１２の焦点距離をテレ側及びワイド側へ変更できる。ズームキー３２の前側部分（Ｔキー）が押されると、テレ方向（拡大方向）にズーム制御され、ズームキー３２の後側部分（Ｗキー）が押されると、ワイド方向（縮小方向）にズーム制御される。なお、ＴキーとＷキーを分離して別々の方向とすることも可能である。
【００１５】
モード切換スイッチ３０がＣ−ＡＦモード又はＳ−ＡＦモード側に選択されると、ＦＺリング２４を手で回動操作して手動による光学ズーム調整を行うことができる。一例として、カメラ１０背面から見てＦＺリング２４を右側に回動するとテレ方向（拡大方向）にズーム制御され、ＦＺリング２４を左側に回動すると、ワイド方向（縮小方向）に光学ズーム制御される。回動方向とテレ方向／ワイド方向の関係は上記と逆でもよい。
【００１６】
情報ボタン３４は、撮影時の撮影条件をワンタッチでカメラ１０の液晶モニタ６８（図２参照）に表示させる指示を与える手段である。露出補正ボタン３６は、撮影画像の露出補正量を指示するときに使用され、ホワイトバランス調節ボタン３８は、ホワイトバランスの設定を変更するときに使用される。
【００１７】
カメラ１０側面に設けられている端子カバー４２を開けると、他の電子機器と情報の送受信を行うための通信コネクタ（例えばＵＳＢ端子）４４、映像信号を送受信する映像出力端子４６、外部から電源を供給する際に利用する電源入力端子４８が設けられている。
【００１８】
図２は、カメラ１０の背面側斜視図である。カメラ背面には、ファインダー５０及び液晶モニタ６８が設けられ、操作部として、十字キー５２、メニュー／実行ボタン５４、キャンセル／戻るボタン５６、表示ボタン５８、シフトボタン６０、表示切換ボタン６２、拡大表示ボタン６４、並びにＡＥロックの指示を入力するＡＥ固定ボタン６６等が設けられている。
【００１９】
ファインダー５０は、電子ビューファインダーで構成されるが、このファインダー５０を光学式ファインダーに置換する態様も可能である。液晶モニタ６８は、撮影時に画角確認用の電子ファインダーとして使用できるとともに、撮影した画像のプレビュー画やメモリカード等の外部記録装置から読み出した再生画像等を表示する表示手段である。また、十字キー５２やコマンドダイヤル９６（図３参照）を使用したメニューの選択や各メニューにおける各種項目の設定なども液晶モニタ６８の表示画面を用いて行われる。更に液晶モニタ６８には、撮影可能枚数（コマ数）や再生コマ番号の表示、マクロモード表示、記録画質（クオリティー）表示、画素数表示等の情報を表示することができる。
【００２０】
撮影者はファインダー５０又は液晶モニタ６８に映し出される映像を見て画角を調整することができる。表示切換ボタン６２には、画像や情報の表示先としてファインダー５０を使用するか液晶モニタ６８を使用するかを切り換える指示を入力する操作部である。
【００２１】
十字キー５２は、上下左右のいずれかの縁部を押圧することによって、対応する４方向（上下左右）の指示を入力できるように構成された多機能キーであり、メニュー画面における各種設定項目の選択や、設定内容の変更を指示する操作キーとして使用されるとともに、ズームレンズ１２の焦点距離調整（テレ／ワイド操作）、電子ズームの倍率調整、ズーム中心の移動指示、再生コマの送り／戻しを指示する手段として用いられる。なお、十字キー５２は、一つの操作部材が上下左右に傾動するタイプでもよいし、上下左右の４つのキーが別々に設けられていてもよい。
【００２２】
メニュー／実行ボタン５４は、各モードの通常画面からメニュー画面へ遷移させる時、あるいは選択内容の確定、処理の実行指示の時などに使用される。キャンセル／戻るボタン５６は、処理のキャンセル又は処理を以前の状態に戻すことを指定する手段であり、メニューから選んだ項目の取消や一つ前の操作状態に戻す時などに使用される。
【００２３】
表示ボタン５８は、液晶モニタ６８をＯＮ／ＯＦＦ操作したり、再生中のコマ番号等の表示／非表示を切り換えるための手段である。シフトボタン６０は、十字キー５２などの多機能キーの機能を拡張するためのプッシュスイッチである。拡大表示ボタン６４は、被写体に対する合焦状態を確認するために画面の一部（例えば、画面中心部）を拡大表示させる指示を行う操作ボタンである。
【００２４】
カメラ背面に設けられた操作部のうち、シフトボタン６０は、他の操作ボタン（キー）との同時押しの必要に鑑み、撮影者が左手で操作できる位置に設けられているが、シフトボタン６０以外の操作部（５２、５４、５６、５８、６２、６４、６６）は、撮影者がグリップ部２２を把持した右手の親指で操作できる位置に設けられている。
【００２５】
グリップ部２２のあるカメラ側部にはスロットカバー７０が開閉自在に設けられており、カバー内部には、外部記録装置を装着するメディアスロット（不図示）が設けられている。また、カメラ１０の底面には、図示せぬ電池を装着する部分を覆う電池カバー７２及び三脚用ねじ穴７４が設けられている。
【００２６】
図３は、ストロボ１６と鏡胴１５を収納した状態のカメラ１０の斜視図である。カメラ１０の上面には、シャッターボタン８０、電源スイッチ８２、モードレバー８４、ストロボ１６の発光モード又は発光禁止を指示するストロボボタン８６、マクロ（近距離撮影）モードの設定又は解除を指示するマクロボタン８８、セルフタイマーボタン９０、連写モードの設定又は解除を指示する連写ボタン９２、モードダイヤル９４、及び各種モードを設定するコマンドダイヤル９６が設けられている。
【００２７】
シャッターボタン８０は、画像の記録開始を指示する手段であり、シャッターボタン８０を軽く押して止める「半押し」の状態で自動ピント合わせ（ＡＦ）及び自動露出制御（ＡＥ）が作動し、「半押し」から更に押し込む「全押し」の状態を指示する録画ボタンとして兼用される。モードレバー８４は、カメラ１０を撮影又は再生の各モードに設定する手段である。モードレバー８４は、電源スイッチ８２の外周に回動自在に支持されたレバースイッチで構成され、該モードレバー８４の停止位置によって撮影モードと再生モードを切り換えることができる。
【００２８】
モードダイヤル９４は、各種の撮影モードを切り換える手段である。モードダイヤル９４を回し、ダイヤル上に描かれた各モードのマークを指標に合わせることにより、セットアップモード、マニュアル撮影モード、絞り優先の撮影モード、シャッター速度優先の撮影モード（通常撮影モード）、夜景、人物、遠景等の撮影シーンを設定して撮影するシーンセレクトモード、動画記録モード等のモード選択を行うことができる。
【００２９】
セットアップモードは、例えば記録画像の解像度、圧縮率、シャープネス、記録色、日付、ビープ音の有無等の設定を行うモードである。なお、画像の記録に関する解像度、圧縮率などは、撮影モードにおけるメニュー画面からも設定できる。マニュアル撮影モードに設定したときは、露出やストロボの発行量あるいはフォーカスなどを全て手動で設定することができる。
【００３０】
図４は、カメラ１０の内部構成を示すブロック図である。ズームレンズ１２を含む光学ユニット１００の後方にはＣＣＤ等の固体撮像素子１０２が配置されており、ズームレンズ１２を通過した光は、固体撮像素子１０２に入射する。固体撮像素子１０２の受光面には、フォトセンサが平面的に配列されており、該受光面に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、撮像回路１０６に加えられる。
【００３１】
撮像回路１０６は、ゲイン調整回路及びＡ／Ｄ変換器を含み、撮像回路１０６を通してデジタル信号に変換された画像データは、画像処理回路１０８及びハイパスフィルタ（ＨＰＦ）１２５へ送られる。画像処理回路１０８は、輝度・色差信号生成回路、ガンマ補正回路、シャープネス補正回路、コントラスト補正回路、ホワイトバランス補正回路、撮影画像に対する輪郭補正を含む画像処理を行う輪郭処理部、画像のノイズ低減処理を行うノイズ低減処理部、トリミング処理回路１２７等を含む画像処理手段であり、ＲＩＳＣ（Reduced Instruction Set Computer）などで構成される処理部１１０からのコマンドに従って画像信号を処理する。
【００３２】
画像処理回路１０８に入力された画像データは、輝度信号（Ｙ信号）及び色差信号（Ｃｒ、Ｃｂ信号）に変換されるとともに、ガンマ補正等の所定の処理が施された後、メモリ１１２に格納される。メモリ１１２に記憶された画像データは、処理部１１０の指令に従って読み出され、ＮＴＳＣ方式などの所定の信号形式に変換された後、表示部１１４に出力される。表示部１１４は、カメラ１０に内蔵されたファインダー５０、液晶モニタ６８又は映像出力端子４６等に接続された外部の表示装置に相当する。なお、処理部１１０は、ＯＳＤ信号発生回路を含み、ＯＳＤ信号発生回路はシャッター速度や絞り値、撮影可能枚数、撮影日時、警告メッセージ等の文字及びアイコン等の記号を表示するための信号を発生させる。このＯＳＤ信号発生回路から出力される信号は、必要に応じて画像信号に混合されて、表示部１１４に供給される。これにより、スルー画像や再生画像に文字やアイコン等が合成された合成画像が表示される。
【００３３】
固体撮像素子１０２から出力される画像信号によってメモリ１１２内の画像データが定期的に書き換えられ、その画像データから生成される映像信号が表示部１１４に供給されることにより、固体撮像素子１０２を介して撮像される画像がリアルタイムに表示部１１４に表示される。
【００３４】
モードレバー８４によって撮影モードが選択され、モードダイヤル９４によって静止画撮影のモードが選択された状態で、シャッターボタン８０が押下されると撮影開始指示（レリーズＯＮ）信号が発せられる。即ち、図示せぬフォーカス駆動部を制御してフォーカス動作を行うとともに、固体撮像素子１０２の電荷蓄積時間（いわゆる電子シャッター）を制御することにより露出制御を行う。
【００３５】
シャッターボタン８０の全押し操作に呼応して、取り込まれた記録用の画像データは、画像処理回路１０８において所定の処理が施された後、必要に応じて圧縮処理され、外部記録装置１１６に記録される。
【００３６】
外部記録装置１１６は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内蔵メモリ）であってもよい。
【００３７】
モードダイヤル９４によって動画記録モードが設定されたときには、シャッターボタン８０の押下によって録画動作がスタートし、もう一度シャッターボタン８０を押下すると録画動作が停止する。シャッターボタン８０を押下継続している期間、録画動作を行い、押下解除によって録画を停止するようにしてもよい。動画データは、例えばモーションＪＰＥＧ形式によって外部記録装置１１６に記録される。
【００３８】
モードダイヤル９４によって再生モードが設定されると、外部記録装置１１６から画像ファイルが読み出される。読み出された画像データは、画像処理回路１０８において伸張処理され、表示部１１４に出力される。
【００３９】
一方、撮像回路１０６のＡ／Ｄ変換部でデジタル信号に変換された画像データは、ＨＰＦ１２５でＧ画素成分のみ抽出される。そして、積算処理部１２６で抽出されたＧ画素成分に積算処理が施されて処理部１１０に送られる。処理部１１０は、積算処理部１２６から送られた１画面分の６４分割の画像データの内、中心付近の４エリアの平均値を算出し、これをオートフォーカス（ＡＦ）評価値とする。ＡＦ評価値は、所定周期の経過毎に算出され、算出の度にメモリ１１２に更新記憶される。
【００４０】
撮影者がモード切換スイッチ３０を操作してＣ−ＡＦ又はＳ−ＡＦモードに切り換え、ＦＺリング２４をテレ方向又はワイド方向に回動させると、処理部１１０は、当該操作に応じてズーム制御回路１２０を制御し、モータ１２２を駆動させる。モータ１２２はＤＣモータが用いられ、モータ１２２に印加する電圧の極性を変えることにより、テレ方向又はワイド方向に駆動できる。モータ１２２の動力が図示せぬギヤその他の動力伝達機構を介してズームレンズ１２に伝達されることにより、ズームレンズが移動して焦点距離が変更される。
【００４１】
なお、十字キー５２をズーム操作キーとして機能させることもできる。例えば、カメラ１０を水平に保持した状態（横位置）で、十字キー５２の上キーがズームアップキー（Ｔキー）、下キーがズームダウンキー（Ｗキー）として機能させ、ＦＺリング２４に代えて、十字キー５２を操作してズーム駆動してもよい。
【００４２】
カメラ１０には、駆動したズームレンズ１２の位置（ズームポジション）を検出するための手段としてレンズ位置検出回路１２４が設けられており、その検出結果は処理部１１０に通知される。処理部１１０は、レンズ位置検出回路１２４の検出信号に基づいてズーム位置制御を行う。
【００４３】
レンズ位置検出回路１２４は、モータ１２２の回転によりパルスを発生する回路であってもよいし、レンズ鏡胴１５の外周に位置検出エンコード板を配置した態様であってもよく、本発明の実施に際して特に限定されるものではない。
【００４４】
処理部１１０は、カメラ１０の各回路を統括制御する制御部であり、ズームキー３２、シャッターボタン８０、十字キー５２、メニュー／実行ボタン５４、ＦＺリング２４、モード切換スイッチ３０、ズームキー３２、マクロボタン８８、モードレバー８４、モードダイヤル９４その他からなる操作部１１３から受信する信号に基づき、対応する回路の動作を制御するとともに、表示部１１４における表示制御、ストロボ発光制御、オートフォーカス（ＡＦ）制御、トリミング範囲の計算及び自動露出（ＡＥ）制御等を行う。
【００４５】
［処理の流れ］
次に、図５のフローチャートを参照し、上記の如く構成されたカメラ１０の処理について説明する。図５はカメラ１０の実行するトリミング処理の流れを示すフローチャートである。この処理は、モードレバー８４によって「再生モード」が選択された場合に開始する。
【００４６】
モードレバー８４を「再生モード」に設定すると、外部記録装置１１６内の最後の画像（最後に記録した画像ファイル）が液晶モニタ６８に一コマずつ再生表示される（Ｓ１）。図６には最後の画像ファイルが静止画ファイルである場合の再生表示例が示されている。一コマ再生時、十字キー５２の上キーは拡大ズームの指令、下キーは縮小ズームの指令、左キーはコマ戻し、右キーはコマ送りの各機能が割り当てられる。
【００４７】
図６の画面（等倍再生画面）で上キー又は下キーを押すと、再生画像（原画像）の一部領域（トリミング画像）が拡大又は縮小されて表示される（Ｓ２）。この拡大／縮小機能は、一コマ再生時のみ有効であり、本例では最大4048×3040ピクセルまで拡大できる。図６において上キーを押すと、図７に示すように原画像の一部領域が拡大され、画面右下には原画像の外縁部を示す外枠Ｆ１及び原画像に対するトリミング画像の相対的なサイズ及び位置を外枠Ｆ１内で示す内枠Ｆ２が通常色（緑など）で表示される。
【００４８】
図７の画面で表示ボタン５８を押下すると、原画像の一部領域の移動が可能となる（Ｓ３）。図７において表示ボタン５８を押すと、図８の画面に移行し、十字キー５２で表示範囲を移動させることができる。十字キー５２の上／下／左／右の何れかのキーを押下することにより、原画像の一部を拡大／縮小させたまま表示範囲を移動させることができる。即ち、十字キー５２は表示範囲を移動させる方向指示キーとして機能する。加えて、処理部１１０は、十字キー５２の上／下／左／右の何れかのキーの押下による表示範囲の移動に応じ、内枠Ｆ２を外枠Ｆ１内で上下左右に移動させる。図８では、図７の画面において十字キー５２の右キーの押下に応じて内枠Ｆ２が外枠Ｆ１内の右側に移動した様子を示している。
【００４９】
なお、表示範囲移動中に再び表示ボタン５８を押すと、図７に示したような拡大／縮小画面（倍率調整画面）に復帰する。また、表示範囲移動中にキャンセル／戻るボタン５６を押下した場合には、図６の等倍表示画面に復帰する。
【００５０】
図７〜８に示した画像表示中に、メニュー／実行ボタン５４が押されると、Ｓ４に移行し、現在液晶モニタ６８に拡大／縮小表示されているトリミング画像のサイズ（トリミングサイズ）が所定のプリントサイズによるプリントに適したサイズ（推奨サイズ）であるか否かを判断する。
【００５１】
所定のプリントサイズ及び推奨サイズは原画像の画素数に対応してユーザが任意に設定できる。例えば、トリミング処理の実行前又は実行中に、操作部１１３に所定操作がされると、図９に示すような推奨サイズ設定画面が液晶モニタ６８に表示される。推奨サイズ設定画面では、プリントサイズ（Ｌ、２Ｌなど）の設定、該設定されたプリントサイズに対応する原画像の画素数並びに推奨サイズを設定することができる。
【００５２】
図９では、プリントサイズとしてＬサイズ（８９ｍｍ×１１９ｍｍ）が設定されており、また、Ｌサイズに対応する画素数として「1200×1000」、並びに推奨サイズとして「大」、「中」、及び「小」のトリミングサイズが「ＯＫ」の指定により設定されている。トリミングサイズ「大」、「中」、「小」は、実際には画像の面積比の大小を表す具体的な数値とする必要がある。なお、図９では、画素数640×480（ＶＧＡサイズ）の原画像に対応して、「大」、「中」、及び「小」のトリミングサイズに「ＮＧ」が指定されており、「大」、「中」、「小」のいずれのトリミングサイズもＬサイズのプリントに対する推奨サイズに設定されていない。
【００５３】
処理部１１０は、推奨サイズ設定画面の設定内容を参照し、原画像の画素数が設定されたプリントサイズに対応する画素数と一致し、かつトリミングサイズが設定されたプリントサイズに対応する推奨サイズと一致するという条件を満たしているか（即ちトリミングサイズが推奨サイズであるか）否かを判断する。トリミングサイズが推奨サイズでない場合は、図７又は８に示した内枠Ｆ２及びその内部の色を、通常色から警告色（赤色やオレンジ色など通常色よりも目立つ色）に変化させる（Ｓ５）。
【００５４】
原画像の一部の拡大／縮小／移動中、メニュー／実行ボタン５４が押下されると、トリミング画像記録の可否をユーザに問い合わせる表示が行われる（Ｓ６）。この確認画面でキャンセル／戻るボタン５６を押すとＳ１に戻り等倍再生画面を表示する。一方、メニュー／実行ボタン５４を押すと、トリミング画像が外部記録装置１１６に記録される（Ｓ７）。トリミング画像のファイルは、最終コマの画像として新たにファイル名が付与されて外部記録装置１１６に記録される。原画像と同じファイル名を付与して上書き記録してもよい。
【００５５】
以上説明したように、原画像の一部領域を指定したトリミング画像のサイズが所定のプリントサイズによるプリントに適した推奨サイズでないときには、内枠Ｆ２の色を通常色から警告色に変化させてユーザに警告することができる。従って、ユーザが原画像の一部をトリミングした際、プリントに適したサイズでないにもかかわらず、プリントを実行して予想外に画質が悪いプリントとなってしまうという事態を回避することができる。プリント推奨サイズは、プリントサイズ並びに原画像の画素数に応じてユーザが任意に設定することができる。
【００５６】
また、本実施形態に係るカメラ１０の一部又は全部と同様の構成を携帯電話機やＰＤＡ（Personal Digital Data Assistants）などの各種電子機器に設け、上述の処理を実行させることも可能である。
【図面の簡単な説明】
【００５７】
【図１】本発明の好ましい実施形態に係るデジタルカメラの外観を示す図
【図２】デジタルカメラの背面側斜視図
【図３】デジタルカメラの正面側斜視図
【図４】デジタルカメラのブロック図
【図５】トリミング処理の流れを示すフローチャート
【図６】原画像の表示例を示す図
【図７】原画像の一部領域の拡大表示例を示す図
【図８】原画像の一部領域の拡大／移動表示例を示す図
【図９】推奨サイズ設定画面の概念図
【符号の説明】
【００５８】
１０：デジタルカメラ、１２：ズームレンズ、２４：ＦＺリング、３０：モード切換スイッチ、８８：マクロボタン、１００：光学ユニット、１０２：固体撮像素子、１０６：撮像回路、１０８：画像処理回路、１１０：処理部、１１４：表示部、１２０：ズーム制御部、１２４：レンズ位置検出回路
【図１】
2006033369.tif 000003
【図２】
2006033369.tif 000004
【図３】
2006033369.tif 000005
【図４】
2006033369.tif 000006
【図５】
2006033369.tif 000007
【図６】
2006033369.tif 000008
【図７】
2006033369.tif 000009
【図８】
2006033369.tif 000010
【図９】
2006033369.tif 000011